(57)【要約】【課題】本発明の目的は、防水性および対候性に優れた電球形ランプ及び照明器具を提供することである。【解決手段】外部からの紫外線は透光性グローブ１４を介してグローブ１４内側および、グローブ１４内を透過せずに、透光性部材内を漂う。しかし、紫外線遮蔽部材からなる環状部１４ｂと放熱部外周１２ｂ間にパッキン１８を介在させているので紫外線は環状部１４ｂで遮断され、パッキン１８まで達することを抑制することができる。【選択図】図１
2012003943.tif 000002
【特許請求の範囲】
【請求項１】
発光部を有する発光モジュールと；
前記発光部からの放射光を外部に出射可能な透光性領域および、基体外周に面する領域には紫外線遮蔽領域が形成されているグローブと；
一方側に前記グローブが取付られるとともに前記発光モジュールを支持し、他方側に口金が取付けられる基体と；
前記発光部を点灯させる点灯回路と；
グローブ内周と基体外周の間であるとともに非透光性部材からなる領域に介在される緩衝部材と；
を備えていることを特徴とする電球形ランプ。
【請求項２】
請求項１記載の電球形ランプと；
前記電球形ランプが装着されるソケットを有した照明器具本体と；
を備えたことを特徴とする照明器具。
【発明の詳細な説明】
【技術分野】
【０００１】
本発明は、発光部からの放射光を外部に出射する電球形ランプ及び照明器具に関する。
【背景技術】
【０００２】
光源であるＬＥＤモジュールをグローブで覆って外観を白熱電球形状に形成したＬＥＤ電球が知られている。ＬＥＤは、屋内だけではなく、屋外にも使用したいという市場の要望などもあり、ベース周溝にパッキンを嵌め込みグローブの凸部に押潰することで防水性を向上させたＬＥＤ電球が知られている（例えば、特許文献１参照）。
【特許文献１】特開２００７−２０７５７６号公報
【発明の開示】
【発明が解決しようとする課題】
【０００３】
しかし、特許文献１のものでは、防水性には優れているものの、外部からの紫外線はグローブを介してパッキンに照射されるため、パッキンが劣化してしまい互いの密着性をランプ寿命まで保つことが困難であった。
【０００４】
本発明の目的は、防水性および対候性に優れた電球形ランプ及び照明器具を提供することである。
【課題を解決するための手段】
【０００５】
本実施形態に関わる電球形ランプは、発光部を有する発光モジュールを有する。さらにグローブは、発光部からの放射光を外部に出射可能な透光性領域および、基体外周に面する領域には紫外線遮蔽領域が形成されている。また基体は、一方側に前記グローブが取付られるとともに前記発光モジュールを支持し、他方側に口金が取付けられる。点灯回路は、前記発光部を点灯させ、緩衝部材は、グローブ内周と基体外周の間であるとともに非透光性部材からなる領域に介在されることを特徴とする。
【発明の効果】
【０００６】
本発明によれば、紫外線の影響を受けない部位に緩衝材を介在しているので、緩衝材が劣化することを抑制することができる。
【図面の簡単な説明】
【０００７】
【図１】本発明の一実施形態に係るＬＥＤ電球の側面図である。
【図２】図１の断面図である。
【図３】図１の分解斜視図である。
【図４】本発明の一実施形態に係る照明器具を示す側面図である。
【発明を実施するための形態】
【０００８】
図１は本発明の第１の実施の形態に係わるＬＥＤ電球１０の側面図である。
【０００９】
複数のＬＥＤ２１が面実装されたＬＥＤモジュール１１は、略円板状の放熱板１３に接触して取り付けられている。また、放熱部１２の放熱板１３には、ＬＥＤモジュール１１が取付けられ、ＬＥＤモジュール１１はグローブ１４に覆われている。グローブ１４は、ＬＥＤモジュール１１のＬＥＤ２１からの放射光を外部に出射可能な投光性部材により形成されている。一方、放熱部１２のグローブ１４の反対側には合成樹脂製の絶縁部１５を介して口金１６が取り付けられている。口金１６の内部は中空となっており、この口金１６の中空部にＬＥＤ２１を点灯する点灯回路１７が内蔵されている。
【００１０】
放熱部１２は、略円筒状をなし円板状面の放熱板１３にＬＥＤモジュール１１が取り付けられるが、ＬＥＤモジュール１１が取付けられる放熱板１３の周囲には、緩衝材としてのリング状のパッキン１８が介在している。さらに、パッキン１８が配設される下方の周囲には、グローブ１４内周１４ａと係合する複数の凹凸部１２ａが形成されている。
【００１１】
放熱部１２の複数野凹凸部１２ａから口金１６方向に向けて放熱部１２の側面には、複数の放熱フィン１９が形成されている。放熱フィン１９は、放熱部１２の中心から外側に向けて放射状に延在するように設けられている。なお、ＬＥＤモジュール１１のＬＥＤ２１から発生する多くの熱は放熱板１３を介して複数の放熱フィン１９に伝熱され、複数の放熱フィン１９から放熱される。
【００１２】
放熱部外周１２ｂと接するグローブ内周１４ａは、紫外線を遮蔽する樹脂性部材により環状に形成されている。この紫外線遮蔽樹脂からなる環状部１４ｂの内周には、放熱部外周１２ｂに形成された凹凸部１２ａと係合する複数の係合溝１４ｃが形成されている。さらに、環状部１４ｂの上方である透光性領域と弾性により接合する図示しない係止部が形成されている。
【００１３】
放熱部１２は、銅（Ｃｕ）、アルミニウム（Ａｌ）、鉄（Ｆｅ）などの金属またはその合金からなり、放熱板１３と放熱フィン１９とは一体形成されているか、または熱伝導可能に相互に接続されている。
【００１４】
環状部１４ｂと係合するとともに、ＬＥＤ２１からの方射光を外部に照射する透光性領域は、環状部１４ｂと係合する係合部が形成されているとともに、略半球対状のドーム部１４ｄが形成されている。
【００１５】
図２、図３に示すとおりＬＥＤモジュール１１は、平板状の直方体の基板２０の一面に複数のＬＥＤ２１が面実装され、側面部から配線が引き出されている。例えば、ＬＥＤ２１が青色ＬＥＤである場合には、青色ＬＥＤからの光を黄色蛍光体を通して出射し白色光を得るようにしている。ＬＥＤモジュール１１は、ＬＥＤモジュール１１のＬＥＤ２１が面実装された面をグローブ１４側の向きにして放熱部１２の放熱板１３に配置される。
【００１６】
ＬＥＤ２１はチップ状の素子を基板２０のマウント部に実装してリードワイヤにてボンディングされるＣＯＢタイプのものでもよく、また、リード端子付きのＬＥＤ２１そして押しのパッケージ部品をランドに実装するＳＭＤタイプのものでもよい。
【００１７】
なお、グローブ１４の取付は、放熱部外周１２ｂの凹凸部１２ａにリング状のパッキン１８を配設し、ＬＥＤモジュール１１の上方からグローブ１４の紫外線遮蔽部材により形成された環状部１４ｂ側から包囲する。そして凹凸部１２ａおよび係合溝１４ｃを嵌め合わせることで、放熱部１２とグローブ１４との間にリング状パッキン１８が挟まれ田上体で、環状部１４ｂにより圧迫されたパッキン１８を押し潰すようにしてより互いの接触を密にしている。
【００１８】
さらに、本実施の形態においてはグローブ１４と放熱部１２の取り付けを確実にするために、グローブ１４と放熱部１２を図示しない螺子により固定しているので、リング状のパッキン１８を、放熱部外周１２ｂに取付け、グローブ１４との接合を密にすることができる。
【００１９】
このように、外部からの紫外線は透光性グローブ１４を介してグローブ１４内側および、グローブ１４内を透過せずに、透光性部材内を漂う。しかし、紫外線遮蔽部材からなる環状部１４ｂと放熱部外周１２ｂ間にパッキン１８を介在させているので紫外線は環状部１４ｂで遮断され、パッキン１８まで達することを抑制することができる。
【００２０】
したがって、屋外にて長時間使用している間に太陽光を受けるなど、紫外線に晒されていてもパッキン１８が劣化することを抑制することができる。
【００２１】
また、グローブ１４の紫外線遮蔽部領域は、ＬＥＤモジュール１１よりも口金１６側、グローブ１４の透光性部材からなるドーム部１４ｄをＬＥＤモジュール１１よりも照射側に配設されているので、ＬＥＤ２１からの光を環状部１４ｂで遮断することはなく、照射ロスを抑制できるので効率よくグローブ１４を解して照射することができる。
【００２２】
図４は本発明の照明装置の説明図である。この照明器具は、園庭などに配設されるいわゆるガーデンライトであり、灯具３０と、地中内に立設されて上端に灯体３０が連結されるポールPとから構成されている。灯体３０は、全体が略球形に構成され、内部にＬＥＤ電球１０を収容し、上部カバー３１、下部のグローブ３２、ホルダ３３を備えている。ＬＥＤ電球１０からの光は上部カバー３１内に形成された図示しない反射板で反射されて地上に向けて出射される。
【００２３】
なお、本発実施の形態において用語の定義及び技術的意味は以下による。
【００２４】
発光モジュールとは、平板状の基体の一面に複数又は単体のＬＥＤ２１が面実装され、または取り付けられた光源ユニットであっても、複数のＬＥＤ２１を実装していても、発光部は有機ＥＬ使用していても構わない。なお、発光モジュールは発光部である一面側を外向きとなるようにして、発光モジュールの他面側が基体側に配置される。
【００２５】
基体は発光部から発生する熱を放熱する放熱体を有しているものも許容し、例えば、熱伝導率のよい金属部材が用いられ、放熱フィン１９を有している。また、グローブ１４周囲と密に接合することで防水性を保つ構成であれば互いの接合構造は、押圧やねじ込みなど限定されるものではない。
【００２６】
グローブ１４は発光モジュールを覆って発光部からの放射光を外部に放射可能であれば、その材質や、形状などは限定されない。
【００２７】
緩衝部材は、例えばリング状のパッキン１８や弾性樹脂などのパッキン１８などが挙げられるが、グローブ１４と基体を密に接合可能であれば全てを許容する。
【００２８】
屋外でランプを使用する場合、例えば自然環境から紫外線を受け、緩衝材が経時的に劣化し、発光モジュールの寿命前に寿命をむかえるおそれがある。そのため、紫外線影響を受けない部位に緩衝材を介在させる必要がある。紫外線遮蔽領域とは、例えば緩衝材が介在するとともに基体と接合する領域に位置するグローブ１４の外周または内周に紫外線遮蔽部材からなるシール部材を張り付けても、紫外線遮蔽部材からなる別部材を介在させても構わない。なお、紫外線遮蔽部材は、可視光を透過させるものであっても、非透光性であっても構わない。要は、緩衝材周囲に直接または間接的に照射される紫外線による劣化を抑制可能であればその構成は特に限定されない。
【００２９】
また、口金１６は基体のグローブ１４の反対側に設けられる。また、発光部を点灯する点灯回路１７は、口金１６の中空部や基体内に配置され口金１６に電気的に接続される。
【００３０】
なお、基体と口金１６間に絶縁部材を介していても構わない。
【符号の説明】
【００３１】
１０・・・ＬＥＤ電球、１１・・・ＬＥＤモジュール、１２・・・放熱部、
１３・・・放熱板、１４・・・グローブ、１６・・・口金、１８・・・パッキン、
２０・・・基板、２１・・・ＬＥＤ
【図１】
2012003943.tif 000003
【図２】
2012003943.tif 000004
【図４】
2012003943.tif 000005
【図３】
2012003943.tif 000006